(57)【要約】【課題】個々の空気吹出し口への風量バランスの均一性に優れ、かつ施工が容易なダクト構造を提供する。【解決手段】空気調和機５によって調和された空気が流通する少なくとも２以上のメインダクト４，４，…と、該メインダクト４，４，…の空気吹出し側の末端に接続された分岐チャンバー２，２，…と、該分岐チャンバー２，２，…に接続される少なくとも２以上の分岐ダクト１，１，…と、を備え、前記メインダクト４，４，…と分岐ダクト１，１，…はフレキシブルダクトで形成され、前記メインダクト４，４，…のそれぞれのダクト長は略同じ長さであり、前記分岐ダクト１，１，…のそれぞれのダクト長も略同じ長さで構成する。【選択図】図１
2006194487.tif 000002
【特許請求の範囲】
【請求項１】
空気調和機によって調和された空気が流通する少なくとも２以上のメインダクトと、該メインダクトの空気吹出し側の末端に接続された分岐チャンバーと、該分岐チャンバーに接続される少なくとも２以上の分岐ダクトと、を備え、
前記メインダクトと分岐ダクトはフレキシブルダクトで形成され、
前記メインダクトのそれぞれのダクト長は略同じ長さであり、前記分岐ダクトのそれぞれのダクト長も略同じ長さで構成された、
ことを特徴とするダクト構造。
【請求項２】
前記メインダクト、分岐ダクト及び分岐チャンバーの主材質が、グラスウールで形成された、請求項１記載のダクト構造。
【請求項３】
前記メインダクトが前記分岐チャンバーの底面又は上面に接続され、前記分岐ダクトが前記分岐チャンバーの側面に接続された構成とされた、請求項１又は２記載のダクト構造。
【発明の詳細な説明】
【技術分野】
【０００１】
本発明は、ダクト構造に関し、詳しくは空気調和機により調和された空気を送気するための天井裏に配管されるダクト構造に関するものである。
【背景技術】
【０００２】
従来、天井埋込型パッケージエアコン等の空気調和機により調和された空気を複数箇所に設置された空気吹出し口に送気する際には、図３に示すように、まず、天井埋込型パッケージエアコン１０に連結されたメインダクト１１，１１から個々の吹出し口１３，１３，…に向けて、直接、一本ずつ分岐ダクト１２，１２，…を配設していた（例えば、特許文献１参照）。
【特許文献１】特開平７−４３０１０号公報（図１）
【発明の開示】
【発明が解決しようとする課題】
【０００３】
しかしながら、メインダクト１１，１１に直接複数個の分岐ダクト１２，１２，…を連結し、個々の吹出し口１３，１３，…に分岐ダクト１２，１２，…を一本ずつ接続しているため、天井埋込型パッケージエアコン１０近傍に連結された分岐ダクト１２に空気の風量が偏り、メインダクト１１，１１の末端側に連結された分岐ダクト１２には十分な風量が供給されないという、不均等な風量配分の問題が生じていた。また、メインダクト１１，１１や分岐ダクト１２，１２，…には、一般的にスパイラルダクトが用いられるため、ダクトの配管接続作業に手間がかかるだけでなく、室内の間取り変更をする場合においても、ダクト配管の大掛かりな変更作業を要していた。
【０００４】
そこで、本発明の主たる課題は、個々の空気吹出し口への風量バランスの均一性に優れ、かつ施工が容易なダクト構造を提供することにある。
【課題を解決するための手段】
【０００５】
上記課題を解決した本発明は、次のとおりである。
＜請求項１記載の発明＞
請求項１記載の発明は、空気調和機によって調和された空気が流通する少なくとも２以上のメインダクトと、該メインダクトの空気吹出し側の末端に接続された分岐チャンバーと、該分岐チャンバーに接続される少なくとも２以上の分岐ダクトと、を備え、前記メインダクトと分岐ダクトはフレキシブルダクトで形成され、前記メインダクトのそれぞれのダクト長は略同じ長さであり、前記分岐ダクトのそれぞれのダクト長も略同じ長さで構成された、ことを特徴とするダクト構造である。
【０００６】
（作用効果）
メインダクトと分岐ダクトはフレキシブルダクトで形成されることにより、スパイラルダクト等による従来工法と比較して、ダクト施工工程数を大幅に削減することができる。
メインダクトのそれぞれのダクト長は略同じ長さにし、前記分岐ダクトのそれぞれのダクト長も略同じ長さで構成することにより、この分岐ダクトからそれぞれ送気される空気の風量の均一化を図ることができる。また、分岐ダクトがフレキシブルダクトであることにより、分岐ダクトの空気吹出し側の末端に接続される空気吹出し口の位置が予め決められている場合でも、それぞれの空気吹出し口に分岐ダクトを接続できる範囲に分岐チャンバーを配置すれば、個々の空気吹出し口に均一の取れた風量の空気を送気可能な配管を容易に施工することができる。
【０００７】
＜請求項２記載の発明＞
請求項２記載の発明は、前記メインダクト、分岐ダクト及び分岐チャンバーの主材質が、グラスウールで形成された、請求項１記載のダクト構造である。
【０００８】
（作用効果）
メインダクト、分岐ダクト及び分岐チャンバーの主材質をグラスウールで形成することにより、保温性と消音効果を高めることができる。
【０００９】
＜請求項３記載の発明＞
請求項３記載の発明は、前記メインダクトが前記分岐チャンバーの底面又は上面に接続され、前記分岐ダクトが前記分岐チャンバーの側面に接続された構成とされた、請求項１又は２記載のダクト構造である。
【００１０】
（作用効果）
分岐チャンバーに接続された各分岐ダクトに対し均一な風量配分をすることができ、その結果、各分岐ダクトから、それぞれ均等な風量の空気を吹出すことができる。
【発明の効果】
【００１１】
本発明によれば、個々の空気吹出し口への風量バランスの均一性に優れ、かつ容易に施工できる等の利点がもたらされる。
【発明を実施するための最良の形態】
【００１２】
以下、本発明の実施の形態を、図１及び図２に基づき説明する。
本発明に係るダクト構造は、天井埋込型パッケージエアコン等の空気調和機５に接続された少なくとも２以上のメインダクト４，４，…と、このメインダクト４，４，…の空気吹出し側の末端に接続された分岐チャンバー２，２，…と、該分岐チャンバー２，２，…から分岐される少なくとも２以上の分岐ダクト１，１，…を備えている。
【００１３】
メインダクト４，４，…は、フレキシブルダクトにより形成されており、図２に示すように、吊バンド７により、床スラブから吊られている。フレキシブルダクトは、スパイラルダクトに比べて天井裏の取り回しがよいため、施工の簡素化ができ、他設備との取り合いも容易に行うことができる。また、フレキシブルダクトを用いることにより、ダクト配管の際に、特殊な継手やボックスを使用する必要がないので材料費が安価になるというメリットもある。
【００１４】
メインダクト４，４，…のそれぞれのダクト長は略同じ長さであり、後述するように、分岐ダクト２，２，…のそれぞれのダクト長も略同じ長さで構成されており、分岐ダクトの空気吹出し側の末端に接続された各吹出し口３，３，…からそれぞれ送気される空気の風量の均一化を図ることができる。ただし、ダクト長としては、約１ｍ程度長さのバラつきがあってもよい。この際、よりダクトの通気抵抗を等しくするために、メインダクト４，４，…と分岐ダクト２，２，…の総エルボ数をそれぞれ略同じにすることが好ましい。なお、フレキシブルダクトとしては、保温性と消音効果の高さを考慮して、グラスウールダクトが好適である。本実施の形態では、メインダクト４，４，…は空気調和機５に３本接続されているが、本発明はこれに限られることなく、少なくとも２本以上、空気調和機５に接続されればよい。
【００１５】
分岐チャンバー２，２，…は、メインダクト４，４，…と分岐ダクト１，１，…の中間に位置し、これらを中継している。この分岐チャンバー２，２，…は、略立方体のボックス形状であり、この底面と側面に筒状のダクト接続口（図示せず）が突出するように形成されており、このダクト接続口を介して底面にメインダクト４が接続され、同様に側面の四面に分岐ダクト１，１，…が接続されるようになっている。分岐チャンバー２は、図２に示すように、天井スラブから吊られたロッド６によって、その上面において一点で吊られるものであり、そのため、ロッドの軸を中心としてダクト接続口の方向を自在に変えることができる。
【００１６】
分岐チャンバー２，２，…の底面にメインダクト４，４，…が接続されることによって、分岐チャンバー２，２，…の下から調和された空気をチャンバー内に送気し、この空気をチャンバーの側面から均等に吹き出すことにより、各分岐ダクト１，１，…に対し均一な風量を供給することができる。その結果、各分岐ダクト１，１，…に接続された各吹出し口３，３，…への均等な風量配分を行うことができる。ここで、チャンバー内に空気を送気するメインダクト４を、分岐ダクト１と共に分岐チャンバー２の側面に接続せず、底面に接続するのは、風量の均一化を図るためである。そのため、分岐チャンバー２へのメインダクト４の接続位置は、底面に限られず、上面でもよい。
【００１７】
この分岐チャンバー２は、保温性と消音効果の高さを考慮して、グラスウールで形成することが好ましい。なお、分岐チャンバー２は、立方体に限られるものではなく、円筒形でも多面体でもよい。
【００１８】
分岐ダクト１，１，…は、前述したように、風量の均一化を図るためにそれぞれ略同じ長さのダクト長で分岐チャンバー２に接続されており、図２に示すように、吊ボルト７により床スラブから吊られている。分岐ダクト１，１，…は、メインダクト４と同様に、フレキシブルダクトにより形成されており、スパイラルダクトに比べて天井裏の取り回しがよいため、施工の簡素化ができ、他設備との取り合いも容易に行うことができる。このため、吹出し口３，３，…の数量、及び基本位置がダクトの配管作業以前に予め決められている場合でも、それぞれの吹出し口３，３，…に分岐ダクト１，１，…を接続できる範囲に、分岐チャンバー２を配置すれば、個々の吹出し口３，３，…に均一の取れた風量の空気を送気可能な配管を容易に施工することができる。他方、吹出し口３，３，…の位置を当初の位置から変更する際でも、従来のスパイラルダクトに比べて、ダクト配管の変更作業は容易であるため、部屋の間取り変更に容易に対応することができる。
【００１９】
また、フレキシブルダクトを用いることにより、ダクト配管の際に、特殊な継手やボックスを使用する必要がないので材料費が安価になるというメリットもある。なお、フレキシブルダクトとしては、保温性と消音効果の高さを考慮して、グラスウールダクトが好適であり、グラスウールダクトにすると、天井８に取付けられた吹出し口３，３，…よりの騒音を減衰することができる。
【００２０】
本発明に係るダクト構造は、メインダクト４と分岐ダクト１とをフレキシブルダクトで施工するため、スパイラルダクト等による従来工法と比較して、ダクト施工工程数を大幅に削減することができ、また、グラスウールダクトを用いることにより保温工事を不要にでき、より施工手間を軽減することができる。
【図面の簡単な説明】
【００２１】
【図１】本発明に係るダクト構造の平面図（天伏図）である。
【図２】その側面図の一部である。
【図３】従来例のダクト構造の平面図（天伏図）である。
【符号の説明】
【００２２】
１…分岐ダクト、２…分岐チャンバー、３…（空気）吹出し口、４…メインダクト、５…空気調和機、６…ロッド、７…吊バンド、８…天井、１０…天井埋込型パッケージエアコン、１１…メインダクト、１２…分岐ダクト、１３…吹出し口。
【図１】
2006194487.tif 000003
【図２】
2006194487.tif 000004
【図３】
2006194487.tif 000005